(57)【要約】【課題】壁掛け便器の壁への取付け構造であって、便器の姿勢を適正に保ったままトイレに簡単に設置できる壁掛け便器の壁への取付け構造を提供する。【解決手段】壁掛け便器１０と、壁掛け便器を支えるフレーム３０と、フレームをトイレ床面に立設させるベース板２０を備え、フレームはトイレの壁面に固定具を介して固定されるようになった壁掛け便器の壁への取付け構造であって、固定具１００は、フレーム３０とトイレ壁面との間隔を調整可能な間隔調整手段を備えている。【選択図】図１
2008240380.tif 000002
【特許請求の範囲】
【請求項１】
壁掛け便器と、前記壁掛け便器を支えるフレームと、前記フレームをトイレ床面に立設させるベース板を備え、前記フレームはトイレの壁面に固定具を介して固定されるようになった壁掛け便器の壁への取付け構造において、
前記固定具は、前記フレームと前記トイレ壁面との間隔を調整可能な間隔調整手段を備えたことを特徴とする壁掛け便器の壁への取付け構造。
【請求項２】
壁掛け便器と、前記壁掛け便器を支えるフレームと、前記フレームをトイレ床面に立設させるベース板を備え、前記フレームはトイレの壁面に固定具を介して固定されるようになった壁掛け便器の壁への取付け構造において、
前記固定具は、前記トイレ壁面の状態の如何にかかわらず前記フレームを前記トイレ壁面に対して引っ張る力を常に所定の方向に向かせる調芯手段を備えたことを特徴とする壁掛け便器の壁への取付け構造。
【請求項３】
前記固定具は、前記フレーム側に取付けられたアームと、前記トイレ壁面に締結具を介して取付けられ一部に凹み部を有する取付け板と、前記アームと取付け板を結合する結合部からなり、前記結合部は、ネジ部が前記アーム及び取付け板をそれぞれ貫通するボルトと、前記ボルトを前記アームの両側からそれぞれ締結するダブルナット及びナットからなり、前記ボルトとダブルナット及びナットとアームが協働して前記間隔調整手段を構成することを特徴とする請求項１に記載の壁掛け便器の壁への取付け構造。
【請求項４】
前記固定具は、前記フレーム側に取付けられたアームと、前記トイレ壁面に締結具を介して取付けられ一部に凹み部を有する取付け板と、前記アームと取付け板を結合する結合部からなり、前記結合部は、ネジ部が前記アーム及び取付け板をそれぞれ貫通するボルトと、前記ボルトの頭を内側に収容すると共に外側が前記取付け板の凹み部に収容されるカップ状の調芯具とからなり、前記調芯具とボルトと取付け板とが協働して前記調芯手段を構成することを特徴とする請求項２に記載の壁掛け便器の壁への取付け構造。
【請求項５】
前記壁掛け便器は、固定フレームと固定フレームに対して昇降可能な可動フレームとからなり、前記便器は前記可動フレームに取付けられて前記固定フレームに対して昇降可能となったことを特徴とする請求項１乃至請求項４の何れかに記載の壁掛け便器の壁への取付け構造。
【発明の詳細な説明】
【技術分野】
【０００１】
本発明は、壁掛け便器の壁への取付け構造に関する。
【背景技術】
【０００２】
従来からトイレ内に既に設置された既存の便器を取り去って壁掛け便器を後付け設置することで便器とトイレ床面との間の空間を確保し清掃性を向上することが行われている（例えば、特許文献１参照）。ここで、特許文献１に開示された壁掛け便器は、トイレ壁において室内壁面と外壁面間に空間が形成されてその空間内に洗浄水を溜める洗浄タンクが隠蔽された状態で内蔵されている。そして、この洗浄タンクは、その下部に設けられた配管フレームの上面フレーム上に設置されている。また、配管フレームは、縦フレームの下端に床の躯体に固定される補強用の固定フレームを備えている。
【０００３】
また、このような縦フレームをトイレの壁面に固定する固定構造も配管ユニットの固定構造として知られている（例えば、特許文献２及び特許文献３参照）。
【０００４】
この特許文献２に記載の固定構造は、枠状のフレーム内に配管類を収納支持し、このフレームの前面に前面板を取付け、前面板に大便器、小便器、洗面器等の衛生設備を取付けるようになっている。そして、フレームの壁固定用横材に壁固定用部材のアンカーボルトを貫通させる穴と調整用部材のボルトを貫通させる穴とを兼用する角穴を複数配設している。
【０００５】
また、特許文献３に記載の固定構造は、内部に配管を収納するフレームとフレームに着脱可能に取付けられる化粧板とからなる配管ユニットにおいて、複数の穴を有する長辺の壁固定部材を設け、壁固定部材の一つの穴をフレームに固定し、他の穴を壁に固定するようになっている。
【特許文献１】特開２００３−９６８８５号公報（２頁、図１）
【特許文献２】特開２００３−２７８２５８号公報（３頁、図１）
【特許文献３】特開２００５−２６４６１９号公報（４−５頁、図３）
【発明の開示】
【発明が解決しようとする課題】
【０００６】
しかしながら、例えば木造住宅や施工の不十分な鉄筋コンクリート住宅の場合、トイレの壁を構成する躯体がしっかりしていないため、上述した従来の後付けタイプの壁掛け便器を後付け設置した場合には、様々な問題が生じてしまう。
【０００７】
具体的には、上述した特許文献１に記載の壁掛け便器では、躯体に接する補強用フレームの長さが便器の先端まで達しない短い構造となっている。そのため、使用者が便座に座ったときにフレームに生じる曲げモーメントによってフレームが躯体から乖離するのを防止するために、補強用フレームを躯体にボルト等でしっかりと固定すると共に、曲げモーメントによる縦フレームの倒れ及び便器の前方への傾斜を防止するために、縦フレームをトイレ後方の壁の躯体に固定する必要がある。
【０００８】
しかしながら、このようなボルト締めを必要とする構成では、そもそも躯体自体が十分な強度を有さない木造住宅である場合、従来例の壁掛け便器をこの躯体に設置することは困難である。
【０００９】
また、仮にこのような壁掛け便器を木造住宅に設置する場合であっても、躯体の経年変化によりトイレの壁面が局所的に傾いていたり撓んでいたり微妙に歪んでいたりするため、このような従来の縦フレームをトイレの壁面に取付ける固定構造では縦フレームを床面に対して垂直に立設して便器の姿勢を正しく保つことは難しい。そのため、使用者がトイレの着座時に姿勢が前のめりになったり一方の側に傾いたりしてトイレ使用中に使用者に不快感を与えてしまう。
【００１０】
一方、鉄筋コンクリート住宅のように上述の長さの短い補強用フレームをボルト締めすることができる強度を躯体が有する場合であっても、トイレの壁の躯体の施工が不十分な場合にこの問題が生じる。
【００１１】
また、高齢者や下肢に障害を持たれている方へ便器への立ち座り補助機能として、壁掛け便器を昇降させる機能を追加するタイプのものである場合、例えば壁掛け便器を縦フレームに沿って垂直方向に昇降させる必要があるが、この場合も躯体が木造住宅であろうが鉄筋住宅であろうが上記と同様の問題が生じる。具体的には、従来例の壁掛け便器及び縦フレームをトイレの壁面に固定する固定構造では、上述したように縦フレームを床面に対して垂直に立設するのが難しいため、便器昇降中に昇降ガイドの一部にせりや磨耗が生じて昇降中に異音を発生したりガタついて使用者に不快感を与えたりすることがある。また、このようなせりや摩耗により昇降装置の耐久性が低下する。
【００１２】
本発明の目的は、壁掛け便器の壁への取付け構造であって、便器の姿勢を適正に保ったままトイレに簡単に設置できる壁掛け便器の壁への取付け構造を提供することにある。
【課題を解決するための手段】
【００１３】
上述した課題を解決するために、本発明にかかる壁掛け便器の壁への取付け構造は、
壁掛け便器と、前記壁掛け便器を支えるフレームと、前記フレームをトイレ床面に立設させるベース板を備え、前記フレームはトイレの壁面に固定具を介して固定されるようになった壁掛け便器の壁への取付け構造において、
前記固定具は、前記フレームと前記トイレ壁面との間隔を調整可能な間隔調整手段を備えたことを特徴としている。
【００１４】
壁掛け便器の固定具がこのような間隔調整手段を有することで、トイレ壁面の状態の如何にかかわらず、フレームとトイレの壁面との間隔を調整することで、壁掛け便器を支えるフレームを床面に対して垂直に立設することができる。
【００１５】
また、住宅側排水管の設置誤差があった場合に、住宅側排水管の位置を基準としてフレームを取付けないといけないので、フレームと壁との間隔が一義的に決まった壁掛け便器の場合、フレームを壁に取付けることができないが、本発明における壁掛け便器の場合、本発明特有の間隔調整手段を有することで、このような状況にも対応できる。
【００１６】
また、本発明の請求項２に記載の壁掛け便器の壁への取付け構造は、
壁掛け便器と、前記壁掛け便器を支えるフレームと、前記フレームをトイレ床面に立設させるベース板を備え、前記フレームはトイレの壁面に固定具を介して固定されるようになった壁掛け便器の壁への取付け構造において、
前記固定具は、前記トイレ壁面の状態の如何にかかわらず前記フレームを前記トイレ壁面に対して引っ張る力を常に所定の方向に向かせる調芯手段を備えたことを特徴としている。
【００１７】
壁掛け便器の固定具がこのような調芯手段を有することで、トイレ壁面の状態の如何に関わらず、フレームをトイレの壁面に対して引っ張る力を所定の方向に向かせることができる。その結果、トイレの壁が傾いている場合であっても壁掛け便器をトイレに正しく取付けることができる。
【００１８】
また、例えばフレームに備わった調芯手段が独立した２つの調芯手段からなる場合、左右の取付け板がばらばらの方向へ向くような歪みをトイレの壁が有していてもこれに対応できる。
【００１９】
また、本発明の請求項３に記載の壁掛け便器の壁への取付け構造は、請求項１に記載の壁掛け便器の壁への取付け構造において、
前記固定具は、前記フレーム側に取付けられたアームと、前記トイレ壁面に締結具を介して取付けられ一部に凹み部を有する取付け板と、前記アームと取付け板を結合する結合部からなり、前記結合部は、ネジ部が前記アーム及び取付け板をそれぞれ貫通するボルトと、前記ボルトを前記アームの両側からそれぞれ締結するダブルナット及びナットからなり、前記ボルトとダブルナット及びナットとアームが協働して前記間隔調整手段を構成することを特徴としている。
【００２０】
固定具がこのような構成を有することで固定具の間隔調整手段を少ない部品で低コストに実現できる。
【００２１】
また、本発明の請求項４に記載の壁掛け便器の壁への取付け構造は、請求項２に記載の壁掛け便器の壁への取付け構造において、
前記固定具は、前記フレーム側に取付けられたアームと、前記トイレ壁面に締結具を介して取付けられ一部に凹み部を有する取付け板と、前記アームと取付け板を結合する結合部からなり、前記結合部は、ネジ部が前記アーム及び取付け板をそれぞれ貫通するボルトと、前記ボルトの頭を内側に収容すると共に外側が前記取付け板の凹み部に収容されるカップ状の調芯具とからなり、前記調芯具とボルトと取付け板とが協働して前記調芯手段を構成することを特徴としている。
【００２２】
固定具がこのような構成を有することで固定具の調芯手段を少ない部品で低コストに実現できる。
【００２３】
また、本発明の請求項５に記載の壁掛け便器の壁への取付け構造は、請求項１乃至請求項４の何れかに記載の壁掛け便器の壁への取付け構造において、
前記壁掛け便器は、固定フレームと固定フレームに対して昇降可能な可動フレームとからなり、前記便器は前記可動フレームに取付けられて前記固定フレームに対して昇降可能となったことを特徴としている。
【００２４】
壁掛け便器の固定具が、間隔調整手段又は調芯手段の少なくとも何れか一方を有することで、トイレ壁面の状態の如何にかかわらず、壁掛け便器を支えるフレームの固定フレームを床面に対して垂直に立設することができるため、容易に昇降可能にすることができる。
【発明の効果】
【００２５】
本発明によると、壁掛け便器の壁への取付け構造であって、便器の姿勢を適正に保ったままトイレに簡単に後付け設置できる壁掛け便器の壁への取付け構造を提供することができる。
【発明を実施するための最良の形態】
【００２６】
以下、本発明の一実施形態にかかる壁掛け便器の壁への取付け構造について図面に基づいて説明する。図１は、本発明の一実施形態にかかる壁掛け便器の壁への取付け構造を斜め前方から見た全体斜視図であり、図２は、図１に示した壁掛け便器の壁への取付け構造を斜め後方から見た斜視図である。また、図３は、図１に示した壁掛け便器の壁への取付け構造を、便器を外した状態で示す側面図であり、図４は、図１に示した壁掛け便器の壁への取付け構造を、便器を外した状態で示す斜視図である。また、図５は、図１に示した壁掛け便器のベース板とフレームの寸法関係の一例を示す斜視図であり、図６は、図１に示した壁掛け便器のフレームとベース板のトイレ躯体への取付け構造を示す部分的斜視図である。また、図７は、図１乃至図４に示した壁掛け便器の固定具を分解して示す斜視図であり、図８は図４に示した固定具１００を一部組立てて示す斜視図である。また、図９は、木造住宅の床の躯体を示す斜視図であり、図１０は、図１に示した壁掛け便器の壁への取付け構造をトイレブースに適用した場合の側面図である。
【００２７】
本発明の一実施形態にかかる壁掛け便器の壁への取付け構造１は、木造住宅又は鉄筋コンクリート住宅に設置するタイプのもので、図１乃至図４に示すように、便器１０と、トイレ床面Ｆの部分的補強層をなすベース板２０（２１，２２）と、ベース板２０に垂設されたフレーム３０とを有し、便器１０は、図１及び図２に示すように便器底部１１とベース板２０との間で所定の清掃用空間が形成されるように便器１０の背面がフレーム３０に取付けられている。そして、フレーム３０は、その上部において固定具１００によってトイレの便器後方の壁面Ｗ（図３及び図１０参照）に固定されている。
【００２８】
また、便器背面１３にはここでは図示しない汚物排出孔が形成され、この汚物排水孔には図２に一部を示す伸縮自在なテレスコタイプの排水管７０が接続され、この排水管７０は、トイレ床面の排水用開口部を通ってトイレ下方の排水管に接続されている。また、便器１０の汚物排出孔に一端が接続した伸縮自在なテレスコタイプの排水管７０は例えばゴムでできた蛇腹管７１で覆われてその排水管の伸縮時に排水管から漏れ出る臭気がトイレ内に拡散するのを防止している。
【００２９】
また、便器１０は、図２に示すロータンク５０を介して便器自体の洗浄を行うようになっている。
【００３０】
一方、便器１０を支持するフレーム３０は、本実施形態ではトイレの床面Ｆの一部をなすベース板２０に対して便器１０の底部１１が所定間隔を保って対向配置するように便器１０を支持している。
【００３１】
なお、フレーム３０は、図４に示すように、ベース板２０から所定間隔隔てて垂直に立設した２本の固定フレーム３１と、この２本の固定フレーム３１に沿って上下にスライド可能な可動フレーム３２を備えている。可動フレーム３２は、固定フレーム３１に沿ってスライドする２本のスライド部３２ａと、この２本のスライド部３２ａを連結する２本の連結部３２ｂからなり、それぞれのスライド部３２ａに便器１０の背面に向かってスタッドボルト３３（図３及び図４参照）が突出し、図示しないネジ等で可動フレーム３２に便器１０の背面をしっかりと固定している。また、固定フレーム３１の上端は、固定具１００によってトイレの便器後方の壁面に固定されている。なお、固定具１００の詳細な構造については後述する。
【００３２】
また、可動フレーム３２の上端にはロータンク５０（図２参照）を載せる載置部３２ｃ（図１参照）が設けられ、図１では図示しない便器洗浄用のロータンク５０がこの上に載置されるようになっている。
【００３３】
また、固定フレーム３１の下方部分には、図２に示すように、ＤＣモータなどのモータ６１が配置され、可動フレーム３２の一部にはこのモータ６１で駆動され伸縮自在に延在する例えばボールネジ６３からなる伸縮シャフト６２の端部が結合されている。そして、トイレの使用者や清掃者がトイレに備わった昇降スイッチ８０（図１０参照）を操作することでモータ６１の駆動力を介して可動フレーム３２を固定フレーム３１に対して所定量だけ昇降させるようになっている。
【００３４】
固定フレーム２０の下端は、図１乃至図４に示すように、便器側方から見て便器後方に折曲した断面略Ｌ型の鋼板からなる取付け板３６を介してベース板２０に固定されている。なお、この固定に際しては、図示しないボルト等の締結具を用いても良く、溶接によって固定しても良い。
【００３５】
なお、図１及び図２は可動フレーム３２及びこれに取付けられた便器１０が固定フレーム３１の上端に位置するようにモータ６１を駆動制御した状態を示し、図１０は可動フレーム３２及びこれに取付けられた便器１０が固定フレーム３１の下端に位置するようにモータ６１を駆動制御した状態を示している。
【００３６】
固定フレーム３１を支持するベース板２０は、厚さ９ｍｍの鋼板でできており、図１に示すように、ベース板２１，２２がフレーム３０の２本の固定フレーム３１の下端から便器１０の前方に向かってそれぞれ便器１０の若干先まで延在している。このベース板２０は例えば厚さ９ｍｍの鋼板からなり、ベース板２０が嵌り合う細長の切り欠きを有した例えば厚さ９６ｍｍのパネルの凹み部（図１では図示せず）と組み合わさってトイレ床面を形成するようになっている。なお、このベース板２０は必ずしもトイレ床面のパネルの凹み部と組み合わせる必要はなく、図１に示す躯体の耐水合板２３０上にベース板２０を載置する構造であっても良い。
【００３７】
図５は、図１に示した壁掛け便器のフレーム３０とベース板２０のトイレ躯体への取付け構造を示す部分的斜視図である。ベース板２１，２２は、フレーム３０の２本の固定フレーム３１の下端から便器１０の前方に向かってそれぞれ便器１０の若干先まで延在している。このベース板２１，２２は例えば厚さ９ｍｍの鋼板からなり、ベース板２１，２２が嵌り合う細長の切り欠きを有した例えば厚さ９ｍｍのパネルと組み合わさってトイレ床面を形成するようになっている。
【００３８】
また、ベース板２１，２２の全長は、ベース板２１のトイレ壁側とベース板２２のトイレ壁側間の距離よりも長くなっている。また、ベース板２１，２２の長さは、ベース板２１，２２から可動フレーム３２の便器固定穴３２ｄまでの高さよりも長くなっている。即ち、便器１０が上昇して可動フレーム３２の便器固定穴３２ｄが上限位置にある場合のこの便器固定穴３２ｂのベース板２１，２２からの高さよりもベース板２１，２２の全長が長くなっている。また、フレーム３０がトイレ壁面に取付けられる部分の高さ、即ちベース板２１，２２からブラケット３５の端面３５ａまでの高さはベース板２１，２２の長さとほぼ同等となっている。
【００３９】
このように、トイレ床に延出して補強層をなすベース板２１，２２の長さが固定フレーム３１の、便器１０を固定している便器上昇時、下降時、一般時全て位置の高さ寸法より長くなっているので、特別な作用効果を生じる。具体的には、固定フレーム３１を支持するベース板２１，２２がトイレ床面の少なくとも一部をなすようになるので、従来のような長さの短い補強フレームをボルトでトイレ床の躯体にしっかりと固定する必要が無くなり、本実施形態の便器使用時に補強用フレームをなすベース板２１，２２に作用する曲げモーメントを躯体が有するボルトの引き抜き強度で耐える必要はなく、この壁掛け便器をトイレに容易に設置することができるようになる。
【００４０】
このようなベース板２１，２２はトイレ床面の一部をなすので、従来例の補強フレームをトイレの床に取付ける場合のような大きいサイズのボルト（締結具）を用いることなく、小さなサイズのボルトを用いて床基礎部に対してずれないように固定すれば良いので、突出部を従来例に比べてかなり小さくすることができる。
【００４１】
図６はこのボルトサイズの小型化を視覚的に理解し易いように示した図面である。同図でボルト３６１〜３６４は固定フレーム３１の取付け板３６及びベース板２１，２２をトイレの躯体に取付けるボルトで、固定フレーム３１の取付け板３６及びベース板２１，２２を貫通して躯体側のここでは図示しない雌ねじにねじ込まれている。また、ナット３６５〜３６９は、ベース板２１，２２から上向きに突出したスタットボルトに螺合されるナットで、ベース板２１，２２と固定フレーム３１の取付け板３６とをしっかり固定するようになっている。この図からも明らかなように、本発明における壁掛け便器をトイレの躯体に取付けるボルト３６１〜３６４が小さなサイズのボルトで済むことが明らかである。
【００４２】
これによって、ベース板２１，２２はトイレ床面の一部をなし、ベース板２１，２２とトイレの床パネルとが相補的に組み合わさることで略フラットなトイレ床面Ｆを形成し、便器１０とトイレ床面Ｆとの間の空間の清掃性を上述した実施形態と同様に向上させることができる。このようにベース板２１，２２をトイレ床面Ｆの一部とすることでトイレ床面の補強層を分割することができ、補強層の精度を向上させることができる。具体的には、ベース板２１，２２をこのような床面の一部をなす補強層とすることで、躯体の影響を受けることなくベース板２１，２２の水平度を出し易くなり、これによって便器１０の姿勢を適正に保つことができる。また、トイレ床面の補強層を分割することで補強層一枚あたりの重量が小さくなり、施工が容易になる。
【００４３】
このように、木造住宅や鉄筋コンクリート住宅のトイレに本実施形態にかかる壁掛け便器を設置する場合であっても、ベース板２１，２２がトイレ床面の一部をなすことで、トイレ床面や壁面の基礎をなす躯体の影響を受けずに便器１０を正しい姿勢でトイレに設置できる。
【００４４】
続いて、固定具１００の具体的構成について詳細に説明する。図７及び図８は一方の固定具１００、即ち図１における手前側の固定具１００を示す分解斜視図である。なお、図１における他方の固定具１００は、図７、図８における一方の固定具１００のアーム１１０が左右対称となっている点で異なり、他は同形態である。固定具１００は、図７及び図８に示すように、便器固定フレーム側に取付けられたアーム１１０と、トイレ壁面に後述する締結具を介して取付けられ一部に凹み部１２１を有する取付け板１２０と、アーム１１０と取付け板１２０を結合する結合部からなる。そして、結合部は、ネジ部１５２がアーム１１０及び取付け板１２０をそれぞれ貫通するボルト１５０と、ボルト１５０の頭１５１を内側に収容すると共に外側が取付け板１２０の凹み部１２１に収容されるカップ状の調芯具１６０と、トイレ壁面からアーム１１０までの距離を規定しながらアーム１１０と取付け板１２０との間でボルト１５０に螺合するダブルナット１７１，１７２及びアーム１１０のダブルナット１７１，１７２と反対側からボルト１５０に螺合されるナット１７４からなる。
【００４５】
そして、調芯具１６０には、ボルト１５０の頭１５１の外径よりは小さくネジ１５２の外径よりは或る程度大きいボルト挿通孔１６１が形成され、調芯具１６０の中心軸線とボルト１５０の中心軸線が一致する状態だけでなく、各中心軸線が互いに或る角度をなした状態でもボルト１５０の頭の外周縁を調芯具１６０の内周面で全体的に受け止め、調芯具１６０の中心軸線、即ち取付け板１２０の取付けられる壁面とボルト１５０の中心軸線、即ちアーム１１０の端部１１５とが平行でなくてもこれら法線（軸線）間のずれを吸収する調芯作用を有している。
【００４６】
即ち、調芯具１６０とボルト１５０の頭１５１とが取付け板１２０の凹み部１２１と協働して調芯手段を構成している。
【００４７】
また、調芯具１６０は、取付け板１２０の凹み部１２１に収容された状態で調芯具１６０の半割り面が取付け１２０の凹み部側の壁取付け面と面一となる寸法を有している。
【００４８】
また、ボルト１５０とダブルナット１７１，１７２及びナット１７４とアーム１１０とはそのダブルナット１７１，１７２及びナット１７４のワッシャ１７３，１７５を介したボルト１５０のネジ部に対する締め付け位置でアーム１１０と取付け板１２０との間隔を調整でき、これら両者が協働して間隔調整手段を構成している。
【００４９】
続いて、上述した実施形態における壁掛け便器の壁への具体的な取付けの仕方とこの壁掛け便器の壁への取付け構造の作用について説明する。
【００５０】
本実施形態における壁掛け便器を例えば木造住宅に設置する場合、図９に示す躯体としての床基礎部２００の上に補強層と共に、壁掛け便器２０のベース板２０を取付ける。この際、便器側の排水管７０はフレーム３０に取付けられ、フレーム３０はベース板２０に取付けられているため、便器側の排水管７０を住宅側の排水管と同心をなすように取付けて円滑な排水を確保するためには、ベース板２０は住宅側排水管の位置を基準として取付ける必要がある。従って、フレーム３０の固定フレーム３１とトイレの壁面との間隔が常に一定となるわけではない。なお、木造住宅の床側の躯体をなす床基礎部２００は、図９に示すようにトイレ室内の長手方向に両端に延在する例えば９０ｍｍ角以上でピッチ９００ｍｍ以内の縦長の大引き２１０及びこの大引き上に交差して所定間隔隔てて載った４５ｍｍ角以上でピッチ３００ｍｍ以内の根太２２０とその上を全体的に覆った例えば厚さ１２ｍｍ以上の耐水合板２３０からできている。
【００５１】
次いで、ベース板２０を床基礎部２００上に図示しないボルト等で横ずれしないように固定する。この際、ベース板２０はある程度の面積を有しているので、従来例のように大きなボルトで躯体に取付ける必要はなく、横ずれ防止するのに十分な小さいボルトで床基礎部２００に取付けるだけで良い。
【００５２】
次いで、この状態でベース板２０に垂設したフレーム３０の上部をトイレの壁Ｗ（図３及び図１０参照）に固定する。
【００５３】
この壁掛け便器の壁への取付けに当たっては、最初に壁側の躯体からスタッドボルト１９０を突出させ、このスタッドボルト１９０に取付け板１２０を取付ける。なお、この取付けに際して、予め取付け板１２０の凹み部１２１に調芯具１６０を収容しておくと共に、調芯具１６０の内側にネジ部１５２が調芯具１６０の貫通孔１６１と取付け板１２０の貫通孔１２２とを貫通するようにボルト１５０を挿通させておく。
【００５４】
次いで、取付け板１２０を壁側の躯体にワッシャ１９１及びナット１９２を介してしっかりと取付ける。この状態では、取付け板１２０の凹み部１２１に収容される調芯具１６０は、その半割り面が壁に当接して調芯具自体が凹み部１２１内に固定収容されている。
【００５５】
次いで、ボルト１５０にダブルナット１７１，１７２を螺合させると共にワッシャ１７３を嵌め込み、フレーム３０のアーム１１０の取付け孔１１１にボルト１５０のネジ部１５２を挿通させる。
【００５６】
次いで、便器１０が正しい姿勢を保つようにフレーム３０と取付け板１２０との間隔を調整しながらダブルナット１７１，１７２を締結し、アーム１１０から突出したボルト１５０のネジ部１５２にワッシャ１７５を嵌め込むと共に、ナット１７４を螺合させる。
【００５７】
なお、この間隔調整作業とダブルナット１７１，１７２の締結作業に伴い、ボルト１５０の頭が調芯具１６０の内周の適正な位置にずれてこの状態で固定具１００の各構成要素が固定される。この固定に際しては、調芯手段の調芯作用、即ち調芯具１６０の中心軸線とボルト１５０の中心軸線が一致する状態だけでなく、各中心軸線が互いに或る角度をなした状態でもボルト１５０の頭の外周縁を調芯具１６０の内周面で全体的に受け止め、調芯具１６０の中心軸線、即ち取付け板１２０の取付けられる壁面とボルト１５０の中心軸線、即ちアーム１１０の端部１１５とが平行でなくてもこれら法線（軸線）間のずれを吸収する作用を奏する。これによって、トイレ壁面Ｗの状態の如何に関わらず、フレーム３０をトイレの壁面Ｗに対して引っ張る力を所定の方向に向かせながらフレーム３０とトイレの壁面Ｗとの間隔を調整することができる。
【００５８】
即ち、本実施形態にかかる壁掛け便器の壁への取付け構造を実現することで、上述した間隔調整手段を有することにより、住宅側排水管の位置に多少ずれがあり、便器側の排水管７０を住宅側の排水管と同心をなすように取付けて円滑な排水を確保するためにこの位置のずれた住宅側排水管に合わせて固定フレーム３１を取付けねばならないとしても、間隔調整手段でずれを吸収できるため、固定フレーム３１がトイレ床面に対して垂直を保ったまま壁掛け便器をトイレに設置できる。
【００５９】
また、上述した調芯手段を有することにより、トイレの床と壁が不陸である場合にも調芯手段によって固定フレーム３１が床と垂直を保ったまま取付け板１２０をトイレの壁と並行に調整できるため、固定フレーム３１がトイレの床に対して垂直になった状態で壁掛け便器をトイレに固定することができる。
【００６０】
また、トイレの壁が様々な方向へ歪んでいる場合にも、調芯手段によって取付け板１２０をトイレの壁の歪みに対して並行に調整できるため、固定フレーム３１がトイレの床に対して垂直に保ったまま壁掛け便器をトイレに設置できる。そのため、便器１０が前倒れしたり便器１０の左右一方が傾いたりして使用者の着座姿勢が悪くなるのを防止することができる。
【００６１】
なお、本実施形態における壁掛け便器の壁への取付け構造を鉄筋コンクリートに適用する場合、床側の躯体に補強層と共にベース板２０を載せてこのベース板２０が床に対してずれないように比較的小さいボルトやアンカー等の締結具で床に固定する。そして、フレーム３０を固定具１００によって上述と同様の工程で壁側の躯体に取付け、壁側の躯体に壁掛け便器の壁への取付けを行う。
【００６２】
このようにして壁掛け便器をトイレの床と壁に取付けた後、使用者は、図１０に示す昇降スイッチ８０の上昇ボタン８１を押して便器１０をフレーム３０の上方まで上昇させる。これによって、使用者は、便座４０に座る際に極端に屈むことなく腰掛ける感じで楽に座ることができる。
【００６３】
そして、使用者は、昇降スイッチ８０の下降ボタン８２を押して便器１０を図１０に示すフレーム３０の下方まで下げ、用を足した後、再び上昇ボタン８１を押して便器１０を上昇させて便座４０から腰をあまり屈めることなく楽に立ち上がって用足しを終えることができる。このような使用者の一連の動作中、使用者が便座４０に座る際にフレーム３０に生じる曲げモーメントを床面Ｆの一部をなすベース板２０及びフレーム３０と壁面Ｗとを連結する固定部１００で受け持つことができるので、壁の躯体の状態が反ったり、ゆがんだり、全体的に曲面状をなしていても便座４０が前倒れしたり左右の一方に傾いたりすることなく使用者がトイレを快適に使用することができる。
【００６４】
なお、壁掛け便器の固定具１００がこのような間隔調整手段や調芯手段を有することで、壁掛け便器の昇降時においても、トイレ壁面の状態の如何にかかわらずフレーム３０をトイレの壁面Ｗに対して引っ張る力を所定の方向に向かせながらフレーム３０とトイレの壁面Ｗとの適正な間隔を保つことができる。
【００６５】
その結果、トイレ壁における躯体の状態の如何に関わらず、壁掛け便器の昇降中常にフレーム３０をベース板２０に対して垂直に立設したままとすることができる。そのため、使用者が便器に着座中に便器を昇降させてもフレームの一部がせったり摩耗したりして便器１０が昇降中にガタついたり異音を発生したりすることもない。これによって、壁掛け便器の昇降中に使用者に不快感を与えずに済む。また、便器１０が常に滑らかに昇降することで昇降装置の耐久性を高めることができる。
【００６６】
一方、清掃者がトイレを清掃する際は、便器１０が図１に示すようにフレーム３０の上方に上昇した状態で便器下方と本実施形態でいう床面Ｆの一部をなすベース板２０との間の清掃を行う。この清掃を行うに際して本実施形態の構造によると、トイレの床面Ｆをなすベース板２０に極端に大きなボルト等の無用な突起物が無いので、便器１０とこの下方の床面Ｆを楽にかつ素早く清掃することができる。
【００６７】
以上説明した実施形態に係る壁掛け便器の壁への取付け構造においては、昇降式壁掛け便器を用いて紹介したが、このような昇降式壁掛け便器ではなく便器固定フレームの所定の高さに便器が固定設置され、便器底部と床面との間に一定の清掃用空間が確保された固定式壁掛け便器に本発明を適用しても上述した特有の作用を十分発揮することは言うまでもない。
【００６８】
しかしながら、昇降式壁掛け便器の場合、使用者が便座に着座して便器を昇降させている間中、便器固定フレームが床面の一部をなすベース板に対して常に垂直を保っているので、便器昇降中に便器固定フレームとの間のせりや磨耗が生じず、その結果、便器昇降中にガタツキや異音を発生せずに、トイレ使用者に常に快適な使用感を与えることができる。また、便器が常に滑らかに昇降することで昇降装置の耐久性を高めることができる。
【００６９】
なお、上述した実施形態に係る壁掛け便器の壁への取付け構造は固定具が間隔調整手段と調芯手段の双方を備えていたが、それとは異なり何れか一方のみを備えていても本発明の作用を発揮し得る。具体的には、本発明にかかる壁掛け便器の壁への取付け構造が間隔調整手段を備えることで、トイレ壁面の状態の如何にかかわらず、フレームとトイレの壁面との間隔を調整することができるという作用を独自に発揮し、調芯手段を備えることでトイレ壁面の状態の如何に関わらずフレームをトイレの壁面に対して引っ張る力を所定の方向に向かせることができるという作用を独自に発揮する。
【図面の簡単な説明】
【００７０】
【図１】本発明の一実施形態にかかる壁掛け便器の壁への取付け構造を斜め前方から見た全体斜視図である。
【図２】図１に示した壁掛け便器の壁への取付け構造を斜め後方から見た斜視図である。
【図３】図１に示した壁掛け便器の壁への取付け構造を、便器を外した状態で示す側面図である。
【図４】図１に示した壁掛け便器の壁への取付け構造を、便器を外した状態で示す斜視図である。
【図５】図１に示した壁掛け便器のベース板とフレームの関係の一例を示す斜視図である。
【図６】図１に示した壁掛け便器の固定フレームとベース板のトイレ躯体への取付け構造を示す部分的斜視図である。
【図７】図１乃至図３に示した壁掛け便器の固定具を分解して示す斜視図である。
【図８】図４に示した固定具を一部組立てて示す斜視図である。
【図９】木造住宅の床の躯体を示す斜視図である。
【図１０】図１に示した壁掛け便器の壁への取付け構造をトイレブースに施工した側面図である。
【符号の説明】
【００７１】
１    壁掛け便器
１０    便器
１１    便器底部
１３    便器背面
２０，２１，２２    ベース板
３０    フレーム
３１    固定フレーム
３２    可動フレーム
３２ａ    スライド部
３２ｂ    連結部
３２ｃ    載置部
３３    スタッドボルト
３６    取付け板
４０    局所洗浄便座
５０    ロータンク
６１    モータ
６２    伸縮シャフト
６３    ボールネジ
７０    排水管
７１    蛇腹管
８０    昇降スイッチ
８１    上昇ボタン
８２    下降ボタン
１００    固定具
１１０    アーム
１１１    取付孔
１１５    端部
１２０    取付け板
１２１    凹み部
１２２    貫通孔
１５０    ボルト
１５１    ボルトの頭
１５２    ネジ部
１６０    調芯具
１６１    ボルト挿通孔
１７１，１７２    ダブルナット
１７３    ワッシャ
１７４    ナット
１７５    ワッシャ
１９０    スタッドボルト
１９１    ワッシャ
１９２    ナット
２００    床基礎部
２１０    大引き
２２０    根太
２３０    耐水合板
３６１〜３６４    ボルト
３６５〜３６９    ナット
Ｆ    床面
Ｗ    トイレの壁
【図１】
2008240380.tif 000003
【図２】
2008240380.tif 000004
【図３】
2008240380.tif 000005
【図４】
2008240380.tif 000006
【図５】
2008240380.tif 000007
【図６】
2008240380.tif 000008
【図７】
2008240380.tif 000009
【図８】
2008240380.tif 000010
【図９】
2008240380.tif 000011
【図１０】
2008240380.tif 000012